(57)【要約】【課題】接続可能なエリアが狭い基地局の環境下において、省電力を実現する携帯端末を提供する。【解決手段】基地局と携帯端末との間の通信を制御する無線装置（無線装置５）と、携帯端末の位置情報を求めるための電波を受信する受信装置（ＧＰＳ部６）と、無線装置において携帯端末との通信が可能な基地局が、位置情報を求めるための電波が不要な基地局である場合、受信装置に受信動作を実行させず、位置情報を求めるための電波が不要な基地局でない場合、受信装置の受信動作を実行させるデータ処理装置（データ処理装置１）と、を備える。【選択図】図２
2012114781.tif 000002
【特許請求の範囲】
【請求項１】
基地局と携帯端末との間の通信を制御する無線装置と、
携帯端末の位置情報を求めるための電波を受信する受信装置と、
前記無線装置において携帯端末との通信が可能な前記基地局が、前記位置情報を求めるための電波が不要な基地局である場合、前記受信装置に受信動作を実行させず、前記位置情報を求めるための電波が不要な基地局でない場合、前記受信装置の受信動作を実行させるデータ処理装置と、
を備えた携帯端末。
【請求項２】
前記位置情報を求めるための電波が不要な基地局の位置情報を、当該基地局の基地局ＩＤと関連づけて記憶する位置記憶部を有する記憶装置を備え、
前記データ処理装置は、
前記無線装置において携帯端末との通信が可能な前記基地局を検出し、検出した前記基地局のうちに前記位置情報を求めるための電波が不要な基地局が含まれるか否かを判定するエリア認識部と、
前記エリア認識部が、検出した前記基地局のうちに前記位置情報を求めるための電波が不要な基地局が含まれると判定した場合、前記記憶装置の前記位置記憶部に前記位置情報を求めるための電波が不要な基地局が含まれるか否かを判定する検索部と、
前記検索部が、前記位置情報を求めるための電波が不要な基地局が含まれないと判定した場合、前記記憶装置の前記位置記憶部に、前記位置情報を求めるための電波が不要な基地局の位置情報を登録する設定変更部と、を有し、
前記データ処理装置は、前記エリア認識部が検出した前記基地局のうちに前記位置情報を求めるための電波が不要な基地局が含まれると判定し、かつ、前記エリア認識部が前記記憶装置の前記位置記憶部に前記位置情報を求めるための電波が不要な基地局が含まれると判定した場合、前記受信装置に受信動作を実行させず、前記記憶装置の前記位置記憶部から前記位置情報を求めるための電波が不要な基地局の位置情報を読み出し、携帯端末が接続されるネットワークのサーバーに当該位置情報を登録することを特徴とする請求項１に記載の携帯端末。
【請求項３】
前記データ処理装置は、前記エリア認識部が検出した前記基地局のうちに前記位置情報を求めるための電波が不要な基地局が含まれると判定し、かつ、前記エリア認識部が前記記憶装置の前記位置記憶部に前記位置情報を求めるための電波が不要な基地局が含まれないと判定した場合、前記受信装置に受信動作を実行させ、前記設定変更部を制御して前記受信装置が受信する携帯端末の位置情報を前記記憶装置の前記位置記憶部に登録させるとともに、携帯端末が接続されるネットワークのサーバーに当該位置情報を登録することを特徴とする請求項２に記載の携帯端末。
【請求項４】
前記データ処理装置は、前記エリア認識部が検出した前記基地局のうちに前記位置情報を求めるための電波が不要な基地局が含まれないと判定した場合、前記受信装置に受信動作を実行させ、前記受信装置が受信する携帯端末の位置情報を、携帯端末が接続されるネットワークのサーバーに当該位置情報を登録することを特徴とする請求項３に記載の携帯端末。
【請求項５】
前記位置情報を求めるための電波が不要な基地局は、フェムトセル基地局であることを特徴とする請求項１乃至請求項４のいずれか一項に記載の携帯端末。
【請求項６】
前記位置情報を求めるための電波が不要な基地局は、フェムトセル基地局または無線ＬＡＮ基地局であって、
更に、前記無線ＬＡＮ基地局と携帯端末との間の通信を制御する無線ＬＡＮ部を備えることを特徴とする請求項１乃至請求項４のいずれか一項に記載の携帯端末。
【請求項７】
前記携帯端末の位置情報を求めるための電波はＧＰＳ衛星が発信する電波であり、前記受信装置は、前記ＧＰＳ衛星が発信する電波を受信するＧＰＳ受信装置であることを特徴とする請求項１乃至請求項６のいずれか一項に記載の携帯端末。
【発明の詳細な説明】
【技術分野】
【０００１】
本発明は、ＧＰＳ(Global Positioning System)の機能を有する携帯端末に関し、特に無線ＬＡＮ等、基地局への接続可能なエリアが狭い環境下において、省電力を実現する携帯端末に関する。
【背景技術】
【０００２】
近年、携帯端末の利用者の位置情報をＧＰＳにより測定し、利用者の位置情報をネットワーク上のサーバーに登録することによって、近隣の店舗情報などに代表される情報をきめ細かく展開する等のサービスが実施されている。
【０００３】
このような携帯端末へのサービスの多様化により、従来から用いられている音声通信の他に、ＧＰＳによる位置情報の測定や無線ＬＡＮによる通信など、音声通信機能と平行して動作する機能が増え、これらの機能が頻繁に使用されることで、携帯端末の消費電力が増加する傾向にある。
【０００４】
無線回路やＧＰＳ回路を有する携帯端末における省電力化の取り組みとして、例えば、特許文献１においては、携帯端末の電力消費が多くなる基地局圏外エリアに入った場合、通信回路への電力供給を停止し、ＧＰＳによる位置情報の測定結果と端末に内蔵されたデータベースとから通信回路への電力再開条件を制御する方法が提案されている。
【先行技術文献】
【特許文献】
【０００５】
【特許文献１】特開２００４−３２０５７６号公報
【発明の概要】
【発明が解決しようとする課題】
【０００６】
しかしながら、特許文献１に記載された携帯端末では、基地局圏外エリアにある場合、携帯端末の低消費電力化を図れることができるものの、基地局圏内にある場合、ＧＰＳによる位置情報測定を省略して携帯端末の低消費電力化を図ることができない。
【０００７】
本発明は、このような事情を考慮してなされたものであり、その目的は、近年増加しているＧＰＳによる位置情報に基づいたサービス情報の入手の際、携帯端末が、位置の特定がしやすい・通信可能なエリアの狭い、フェムトセル用基地局や無線ＬＡＮ基地局等の圏内にある場合、ＧＰＳによる位置情報の測定を省略することで、携帯端末の省電力を実現し、電池の持ち時間の延長を図るなど、ユーザーの利便性を向上させることにある。
【課題を解決するための手段】
【０００８】
上記課題を解決するため、本発明は、基地局と携帯端末との間の通信を制御する無線装置と、前記携帯端末の位置情報を求めるための電波を受信する受信装置と、前記無線装置において前記携帯端末との通信が可能な前記基地局が、前記位置情報を求めるための電波が不要な基地局である場合、前記受信装置に受信動作を実行させず、前記位置情報を求めるための電波が不要な基地局でない場合、前記受信装置の受信動作を実行させるデータ処理装置と、を備える。
【発明の効果】
【０００９】
本発明の携帯端末においては、データ処理装置は、無線装置において携帯端末との通信が可能な基地局が、位置情報を求めるための電波が不要な基地局である場合、受信装置に受信動作を実行させず、位置情報を求めるための電波が不要な基地局でない場合、受信装置の受信動作を実行させる。これにより、フェムトセル用基地局や無線ＬＡＮ基地局等の位置情報を求めるための電波が不要な基地局圏内にいる場合、ＧＰＳによる位置情報の測定を省略でき、省電力を実現し、電池の持ち時間の延長を図るなど、ユーザーの利便性を向上させることができる。
【図面の簡単な説明】
【００１０】
【図１】携帯端末１００が使用されるネットワークシステムを示す概略図である。
【図２】携帯端末１００の構成を示すブロック図である。
【図３】携帯端末１００が使用されるネットワークシステムを示す概略図である。
【図４】携帯端末１００の動作方法を示すフローチャートである。
【図５】位置記憶部２２に格納された情報を示す概念図である。
【図６】携帯端末１００が使用されるネットワークシステムを示す概略図である。
【図７】携帯端末１００の構成を示すブロック図である。
【図８】携帯端末１００の動作方法を示すフローチャートである。
【図９】位置記憶部２２に格納された情報を示す概念図である。
【発明を実施するための形態】
【００１１】
以下、本発明の実施の形態について図面を参照して詳細に説明する。なお、以下で説明する全ての図面において、同一の構成要素には同一の符号を付加し、適宜説明を省略する。
【００１２】
［第１の実施の形態］
図１は、本発明の携帯端末（携帯端末１００）が使用されるネットワークシステムを示す概略図である。
図１に示すように、このネットワークシステムは、携帯端末１００、無線基地局１１０、無線基地局１２０、フェムトセル用基地局１３０、及びＧＰＳ衛星１４０から構成される。
図１において、無線基地局１１０は、通信可能エリアとして、セル１１１を構成する。また、無線基地局１２０は、通信可能エリアとして、セル１２１を構成する。また、フェムトセル用基地局１３０は、通信可能エリアとして、フェムトセルエリア１３１を構成する。フェムトセルエリア１３１及び後述する無線ＬＡＮエリア１５１は、ＧＰＳによる位置情報の測定が必要となるセル１１１、セル１２１に比べて狭いエリアである。
【００１３】
また、図１において、携帯端末１００は、エリアの広い無線基地局１１０のセル１１１や無線基地局１２０のセル１２１の圏内にいる場合には、ＧＰＳ衛星１４０の電波により位置情報を測定する。携帯端末１００の利用者の移動により、フェムトセル用基地局１３０のフェムトセルエリア１３１の圏内に移動した場合には、携帯端末１００に内蔵されているメモリから、フェムトセル用基地局１３０を検索し、その基地局の位置情報が登録されていた場合には、ＧＰＳによる位置情報の測定を省略することで、電力の消費を抑える。
【００１４】
図２は、本実施例における携帯端末１００の構成を示すブロック図である。
携帯端末１００は、データ処理装置１と、記憶装置２と、入力装置３と、出力装置４と、無線装置５と、ＧＰＳ部６と、を備えている。
データ処理装置１は、エリア認識部１１、検索部１２、設定変更部１３を備えている。これらの処理装置が備える各部の動作は、メモリ２１内のＲＯＭ(Read Only Memory)等に格納された携帯端末の動作プログラムが、ＣＰＵにより実行されることで実現される。
また、記憶装置２は、メモリ２１を備え、コンピュータプログラム等が格納されている。メモリ２１には、位置情報のデータベースを構築するための位置記憶部２２を有している。
また、入力装置３は、キーボード３１およびマイク３２を備えている。ユーザーは、キーボード３１を操作することにより、所望する情報を携帯端末１００に入力することができる。マイク３２は、通話時などに使用される。
【００１５】
また、出力装置４は、表示部４１およびレシーバ４２（音声出力装置）を備えている。表示部４１はディスプレイなどに例示され、携帯端末１００から所定の情報をユーザーに対して通知するために設けられている。レシーバ４２は、通話時などに使用される。
また、無線装置５は、無線部５１とアンテナ５２を備えている。無線部５１は、アンテナ５２を介して、各無線基地局１１０，１２０およびフェムトセル用基地局１３０などの通信設備に接続される。
ＧＰＳ部６は、ＧＰＳ制御部６１とＧＰＳアンテナ６２を備えている。ＧＰＳ制御部６１は、ＧＰＳアンテナ６２を介して、ＧＰＳ衛星１４０からの信号を受信する。
【００１６】
以下、携帯端末１００の動作について、図面を参照しつつ詳細に説明する。
図３は、図１と同じく、携帯端末が使用されるネットワークシステムを示す概略図である。
図３において、携帯端末１００は、広いエリアをカバーする無線基地局１１０が構成するセル１１１の圏内に位置している。この場合、ユーザーが通信事業者との間で契約している位置情報による近隣店舗の情報などのサービスを受けようとする場合、ユーザーの位置情報を正確に得るため、ＧＰＳ部６を制御して、ＧＰＳ衛星１４０からの信号を受信することで正確な位置情報を測定し、その位置情報をネットワーク上のサーバーに登録する必要がある。
【００１７】
一方、先に示した図１において、携帯端末１００は、フェムトセル用基地局１３０が構成する狭いエリアであるフェムトセルエリア１３１の圏内に位置している。この場合、ユーザーは、フェムトセル用基地局１３０の位置が分かれば、ＧＰＳ部６を制御して正確な位置情報を測定しなくても、その位置情報をネットワーク上のサーバーに登録することでも同様な精度でサービスを受けることができる。
【００１８】
以上のようなサービスを受けるため、携帯端末１００は、次に図４を用いて説明する制御動作を内部で実行する。
図４は、携帯端末１００の動作を示すフローチャートである。
なお、携帯端末１００は、図４に示す動作を定期的に実行する。
携帯端末１００は、データ処理装置１のエリア認識部１１において、接続可能な無線基地局およびフェムトセル用基地局（以下、両方を合わせて便宜的に基地局とする）の検出を実行する（ステップＳ１０１）。
【００１９】
例えば、携帯端末１００が、図３に示す位置にある場合、エリア認識部１１は、携帯端末１００が接続可能な基地局として、無線基地局１１０を検出することになる。
エリア認識部１１は、接続可能と検出した基地局に、接続をカバーするエリアの狭いフェムトセルエリアが含まれるか否かを判定する（ステップＳ１０２）。この場合、接続可能と検出した基地局は、無線基地局１１０であるため、ステップＳ１１０に進む（ステップＳ１０２−Ｎｏ）。
データ処理装置１は、ＧＰＳ部６を制御して、携帯端末１００の位置情報を測定し、ステップＳ１０６へと進む（ステップＳ１１０）。
データ処理装置１は、ネットワーク上のサーバーに対してステップＳ１１０で測定した位置情報（携帯端末の位置情報）を登録する（ステップＳ１０６）。
【００２０】
次に、ユーザーが移動し、携帯端末１００が図３に示される位置でなく、図１に示される位置にある場合、エリア認識部１１は、上記ステップＳ１０１では、携帯端末１００が接続可能な基地局として、無線基地局１１０とフェムトセル用基地局１３０という２つの基地局を検出することになる。以下にフローに基づいて説明する。
エリア認識部１１は、接続可能と検出した基地局に、接続をカバーするエリアの狭いフェムトセルエリアが含まれるか否かを判定する（ステップＳ１０２）。この場合、携帯端末１００が接続可能と検出された基地局の中に、接続をカバーするエリアが狭いフェムトセル用基地局１３０が含まれるので、ステップＳ１０３へと進む（ステップＳ１０２−Ｙｅｓ）。
【００２１】
データ処理装置１の検索部１２にて、フェムトセル用基地局１３０をキーとして、メモリ２１の位置記憶部２２を検索する（ステップＳ１０３）。
次に、位置記憶部２２にフェムトセル用基地局１３０の位置情報があるか否かを判定する（ステップＳ１０４）。
なお、位置記憶部２２は、図５に示すように、フェムトセル基地局ＩＤと、フェムトセル基地局の位置情報を関連付けて記憶できるテーブル形式の構成となっており、検索部１２は、フェムトセル用基地局のＩＤをキーとして、対応するフェムトセル基地局の位置情報を参照する。
【００２２】
例えば、位置記憶部２２には、登録データが全くなかったものとする。
この場合、検索部１２は、該当情報なしと判定して（ステップＳ１０４）、ステップＳ１２０へと進む（ステップＳ１０４−Ｎｏ）。
データ処理装置１は、ＧＰＳ部６を制御して、携帯端末１００の位置情報を測定し、ステップＳ１２１へと進む（ステップＳ１２０）。
データ処理装置１の設定変更部１３は、メモリ２１の位置記憶部２２に対して、新規登録情報として、図５に示すように、フェムトセル用基地局１３０の位置情報として、ステップＳ１２０において測定した携帯端末１００の位置情報を登録する（ステップＳ１２１）。
次に、データ処理装置１は、ネットワーク上のサーバーに対してステップＳ１２０で測定した位置情報（携帯端末の位置情報）を登録する（Ｓ１０６）。
【００２３】
一方、ステップＳ１０３で検索部１２が検索した位置記憶部２２に、図５で示すように、フェムトセル用基地局１３０の位置情報があった場合、検索部１２は、フェムトセル用基地局１３０の該当データがあると判定し、Ｓ１０５へと進む（ステップＳ１０４−Ｙｅｓ）。
データ処理装置１は、フェムトセル用基地局１３０の登録情報として、位置記憶部２２から、位置情報ａを入手する（ステップＳ１０５）。
データ処理装置１は、ネットワーク上のサーバーに対してステップＳ１０５で入手した位置情報（位置情報ａ）を登録する（ステップＳ１０６）。
【００２４】
以上説明した構成により、本発明の携帯端末１００は、以下に記載する効果を有する。
第１の効果は、メモリ（位置記憶部２２）に登録されている位置情報を使用することにより、ＧＰＳによる位置情報の測定動作を省略する手段、すなわち、ＧＰＳ部６に携帯端末１００の位置情報受信を実行させないデータ処理装置１を有しているので、省電力動作ができることである。
第２の効果は、メモリに登録する位置情報を自動で更新する手段、すなわち、携帯端末１００がフェムトセルエリア１３１内にあるか否かを判定するエリア認識部１１と、エリア認識部１１があると判定し、かつ、位置記憶部２２にフェムトセル用基地局１３０の位置情報がない場合、ＧＰＳ部６が受信した携帯端末１００の位置情報を登録する設定変更部１３と、を有しているので、あらかじめデータベースを準備する必要がないことである。
【００２５】
第３の効果は、ユーザーの行動範囲に応じて位置情報のデータベースが拡充されていくため、つまり、位置情報が登録されていないフェムトセル圏内に入る度に、位置情報が位置記憶部２２に登録されるため、ユーザーの行動範囲に合わせたデータベースを構築することができることである。
第４の効果は、ユーザーの行動範囲に合わせたデータベースが構築されるため、ユーザーに適した省電力動作の機会を得ることができることである。つまり、携帯端末１００が、位置情報が未登録であるフェムトセル圏内に一回入れば、位置情報が位置記憶部２２に登録されていくため、次にこのフェムトセル圏内に入ったときは、ＧＰＳによる位置情報の測定動作を省略し、電力の消費を抑えることができる。
【００２６】
［第２の実施の形態］
次に、本発明の第２の実施の形態による携帯端末１００を、図６〜図９を用いて説明する。
図６は、第２の実施形態における携帯端末１００が使用されるネットワークシステムを示す概略図である。第２の実施形態では、第１の実施形態における図１及び図３に示すネットワークシステムに、無線ＬＡＮ基地局１５０が追加されている。
無線ＬＡＮ基地局１５０は、通信可能エリアとして、無線ＬＡＮエリア１５１を構成する。
また、図７は、第２の実施形態における携帯端末１００の構成を示すブロック図である。
図７において、携帯端末１００は、図２に示した第１の実施の形態における携帯端末１００に加えて、無線ＬＡＮ部７を備えている。
無線ＬＡＮ部７は、無線ＬＡＮ制御部７１と無線ＬＡＮアンテナ７２を備えている。無線ＬＡＮ制御部７１は、無線ＬＡＮアンテナ７２を介して、無線ＬＡＮ基地局１５０などの無線ＬＡＮ通信設備に接続される。
【００２７】
図８は、第２の実施形態における携帯端末１００の動作を示すフローチャートであり、
第１の実施形態における携帯端末１００の動作を示すフローチャートである図４に対応する。以下、第２の実施形態における携帯端末１００の動作について、図４と相違する点について説明する。
図６に示すように、携帯端末１００は、無線基地局１２０の通信可能エリアであるセル１２１内に位置し、かつ、無線ＬＡＮ基地局１５０の通信可能エリアである無線ＬＡＮエリア１５１内に位置している。
そのため、携帯端末１００のデータ処理装置１におけるエリア認識部１１は、携帯端末１００の接続可能な基地局が、無線基地局１２０と無線ＬＡＮ基地局１５０との２つの基地局を検出する（ステップＳ１０１）。
【００２８】
次に、エリア認識部１１は、接続可能と検出した基地局に、無線ＬＡＮエリアやフェムトセルエリアなどの、接続可能なエリアが狭い基地局が含まれているか否かを判定する（ステップＳ１３０）。この場合、接続可能と検出した基地局の中に、無線ＬＡＮ基地局１５０が含まれるため、ステップＳ１０３へと進む（ステップＳ１３０−Ｙｅｓ）。
データ処理装置１の検索部１２は、無線ＬＡＮ基地局１５０をキーとして、メモリ２１の位置記憶部２２を検索する。位置記憶部２２の登録データが図９に示される例の場合、検索部１２は、無線ＬＡＮ基地局１５０の該当データがあると判定し（ステップＳ１０４）、Ｓ１０５へと進む（ステップＳ１０４−Ｙｅｓ）。
【００２９】
データ処理装置１は、無線ＬＡＮ基地局１５０の登録情報として、位置記憶部２２から、位置情報ｂを入手する（ステップＳ１０５）。
データ処理装置１は、ネットワーク上のサーバーに対してステップＳ１０５で入手した位置情報（位置情報ｂ）を登録する（ステップＳ１０６）。
【００３０】
以上、本発明の実施の形態について説明したが、本発明の携帯端末は、上述の図示例にのみ限定されるものではなく、本発明の要旨を逸脱しない範囲内において種々変更を加え得ることは勿論である。
【符号の説明】
【００３１】
１００…携帯端末、１１０，１２０…無線基地局、１３０…フェムトセル用基地局、１４０…ＧＰＳ衛星、１１１、１２１…セル、１３１…フェムトセルエリア、１…データ処理装置、２…記憶装置、３…入力装置、４…出力装置、５…無線装置、６…ＧＰＳ部、１１…エリア認識部、１２…検索部、１３…設定変更部、２１…メモリ、２２…位置記憶部、３１…キーボード、３２…マイク、４１…表示部、４２…レシーバ、５１…無線部、５２…アンテナ、６１…ＧＰＳ制御部、６２…ＧＰＳアンテナ、１５０…無線ＬＡＮ基地局、１５１…無線ＬＡＮエリア、７…無線ＬＡＮ部、７１…無線ＬＡＮ制御部、７２…無線ＬＡＮアンテナ
【図１】
2012114781.tif 000003
【図２】
2012114781.tif 000004
【図３】
2012114781.tif 000005
【図４】
2012114781.tif 000006
【図５】
2012114781.tif 000007
【図６】
2012114781.tif 000008
【図７】
2012114781.tif 000009
【図８】
2012114781.tif 000010
【図９】
2012114781.tif 000011